【手続補正書】
【提出日】平成27年10月13日(2015.10.13)
【手続補正１】
【補正対象書類名】特許請求の範囲
【補正対象項目名】全文
【補正方法】変更
【補正の内容】
【特許請求の範囲】
【請求項１】
可変バンドの変調済信号を生成する方法であって、前記変調済信号の変調デジタル信号は少なくとも１つの成分を含み、前記可変バンドについてのデジタル情報は、前記少なくとも１つの成分または前記変調デジタル信号に反復してまたは周期的にスーパーインポーズされる、方法。
【請求項２】
可変バンドのＯＦＤＭ信号を生成し、前記ＯＦＤＭ信号の前記変調デジタル信号は伝送されるユーザメッセージに関する第１の複数の成分と、伝送されるシグナリングに関する第２の複数の成分と、伝送されるパイロットキャリアに関する第３の複数の成分とを含み、前記第１、第２、および第３の複数の成分は前記変調デジタル信号の第４の複数の成分を形成するように関連付けられ、前記可変バンドについての情報は、前記第１、第２、第３、および第４の複数の成分のうちの少なくとも１つに反復してまたは周期的にスーパーインポーズされる、請求項１に記載の方法。
【請求項３】
前記可変バンドについての前記情報は、前記可変バンドの幅または前記可変バンドの少なくとも１つのサブバンドの幅に対応する、請求項１または２に記載の方法。
【請求項４】
前記可変バンドについての前記情報は、前記可変バンドの位置または前記可変バンドの少なくとも１つのサブバンドの位置に対応する、請求項１〜３のいずれか一項に記載の方法。
【請求項５】
前記可変バンドについての前記情報は前記可変バンドを構成するサブバンドの数に対応する、請求項１〜４のいずれか一項に記載の方法。
【請求項６】
前記可変バンドについての前記情報は符号化され、複数の情報成分を形成し、前記複数の情報成分は前記第１、第２、第３、および第４の複数の成分のうちの１つの成分にそれぞれ追加される、請求項２、または請求項２に従属する請求項３〜５のいずれか一項に記載の方法。
【請求項７】
前記複数の情報成分の数は前記第１、第２、第３、および第４の複数の成分のうちの前記１つの成分の数以下である、請求項６に記載の方法。
【請求項８】
前記可変バンドについての前記情報は伝送されるユーザメッセージに関する前記第１の複数の成分にスーパーインポーズされる、
前記可変バンドについての前記情報は伝送されるシグナリングに関する前記第２の複数の成分にスーパーインポーズされる、
前記可変バンドについての前記情報は伝送されるパイロットキャリアに関する前記第３の複数の成分にスーパーインポーズされる、または
前記可変バンドについての前記情報は前記変調デジタル信号の前記第４の複数の成分にスーパーインポーズされる、
請求項２、または請求項２に従属する請求項３〜１０のいずれか一項に記載の方法。
【請求項９】
可変バンドのＯＦＤＭ信号を生成するシステムであって、前記ＯＦＤＭ信号の変調信号は伝送されるユーザメッセージに関する第１の複数の成分と、伝送されるシグナリングに関する第２の複数の成分と、伝送されるパイロットキャリアに関する第３の複数の成分とを含み、前記可変バンドについての情報を受信する入力部を有し、前記システムは、
前記第１、第２、および第３の複数の成分を関連付けて、前記変調信号の第４の複数の成分を形成する手段と、
入力部で前記変調信号の前記第４の複数の成分を受信し、前記可変バンドのＯＦＤＭ信号を出力するＯＦＤＭ変調器とを備え、
前記第１、第２、第３、および第４の複数の成分のうちの１つに、前記可変バンドについての前記情報を反復してまたは周期的にスーパーインポーズする手段を含む、システム。
【請求項１０】
請求項３〜８のいずれか一項に記載の方法の機能を実装する手段を含む、請求項９に記載のシステム。
【請求項１１】
受信後に変調済信号を処理する方法であって、前記変調済信号の変調デジタル信号は少なくとも１つの成分を含み、前記方法は、
前記少なくとも１つの成分または前記変調デジタル信号にスーパーインポーズされたデジタル情報を前記変調済信号から抽出する段階と、
抽出された前記デジタル情報を用いて前記変調済信号のバンドを決定し、前記変調済信号の復調および復号化を完了する段階と
を備える、方法。
【請求項１２】
受信後にＯＦＤＭ信号を処理し、前記ＯＦＤＭ信号の前記変調デジタル信号はユーザメッセージに関する第１の複数の成分と、シグナリングに関する第２の複数の成分と、パイロットキャリアに関する第３の複数の成分とを含み、前記第１、第２、および第３の複数の成分は前記変調デジタル信号の第４の複数の成分を形成するように関連付けられ、
前記第１、第２、第３、および第４の複数の成分の少なくとも１つにスーパーインポーズされた情報を前記ＯＦＤＭ信号から抽出する段階Ｂと、
抽出された前記情報を用いて前記ＯＦＤＭ信号のバンドを決定し、前記ＯＦＤＭ信号の復調および復号化を完了する段階Ｃと
を備える、請求項１１に記載の方法。
【請求項１３】
パイロットキャリアに関する前記ＯＦＤＭ信号の予め定められた数の成分を受信し、パイロット情報を抽出する段階と、
相関演算によって、抽出された前記パイロット情報がスーパーインポーズされた情報を含むかどうかを判断する段階と、
抽出された前記パイロット情報からスーパーインポーズされた前記情報を抽出する段階と、
抽出された前記情報を復号化する段階と、
復号化された前記情報を用いて前記ＯＦＤＭ信号のバンドを決定し、前記ＯＦＤＭ信号の復調および復号化を完了する段階と
を備える、請求項１２に記載の方法。
【請求項１４】
ユーザメッセージに関する前記ＯＦＤＭ信号の予め定められた数の成分を受信し、ユーザメッセージデータを抽出する段階と、
エラー復号演算によって、抽出された前記ユーザメッセージデータがスーパーインポーズされた情報を含むかどうかを判断する段階と、
抽出された前記ユーザメッセージデータからスーパーインポーズされた前記情報を抽出する段階と、
抽出された前記情報を復号化する段階と、
復号化された前記情報を用いて前記ＯＦＤＭ信号の前記バンドを決定し、前記ＯＦＤＭ信号の復調および復号化を完了する段階と
を備える、請求項１２または１３に記載の方法。
【請求項１５】
前記ＯＦＤＭ信号の予め定められた数の、シグナリングおよびシグナリングデータの抽出に関する成分を受信する段階と、
エラー復号演算によって、抽出された前記シグナリングデータがスーパーインポーズされた情報を含むかどうかを判断する段階と、
抽出された前記シグナリングデータからスーパーインポーズされた前記情報を抽出する段階と、
抽出された前記情報を復号化する段階と、
復号化された前記情報を用いて前記ＯＦＤＭ信号の前記バンドを決定し、前記ＯＦＤＭ信号の復調および復号化を完了する段階と
を備える、請求項１２〜１４のいずれか一項に記載の方法。
【請求項１６】
受信後にＯＦＤＭ信号を処理するシステムであって、前記ＯＦＤＭ信号の変調信号はユーザメッセージに関する第１の複数の成分と、シグナリングに関する第２の複数の成分と、パイロットキャリアに関する第３の複数の成分とを含み、前記第１、第２、および第３の複数の成分は前記変調信号の第４の複数の成分を形成するように関連付けられ、前記システムは、
前記第１、第２、第３、および第４の複数の成分のうちの少なくとも１つにスーパーインポーズされた情報を前記ＯＦＤＭ信号から抽出する手段と、
抽出された前記情報を用いて前記ＯＦＤＭ信号のバンドを決定し、前記ＯＦＤＭ信号の復調および復号化を完了する手段と
を備えるシステム。
【手続補正２】
【補正対象書類名】明細書
【補正対象項目名】０１２７
【補正方法】変更
【補正の内容】
【０１２７】
周波数または周波数バンドは、例えば、メモリまたはメモリ領域を処理に割り当てるべく電算機においてすでに利用されているものと類似の技術を用いることによって、ＯＦＤＭ信号に割り当てることができる。
なお、本願明細書に記載の実施形態によれば、以下の構成もまた開示される。
［項目１］
可変バンドの変調済信号を生成する方法であって、前記変調済信号の変調デジタル信号は少なくとも１つの成分を含み、前記可変バンドについてのデジタル情報は、前記少なくとも１つの成分または前記変調信号に反復してまたは周期的にスーパーインポーズされることを特徴とする、方法。
［項目２］
可変バンドのＯＦＤＭ信号を生成し、前記ＯＦＤＭ信号の前記変調信号は伝送されるユーザメッセージに関する第１の複数の成分と、伝送されるシグナリングに関する第２の複数の成分と、伝送されるパイロットキャリアに関する第３の複数の成分とを含み、前記第１、第２、および第３の複数の成分は前記変調信号の第４の複数の成分を形成するように関連付けられ、前記可変バンドについての情報は、前記第１、第２、第３、および第４の複数の成分のうちの少なくとも１つに反復してまたは周期的にスーパーインポーズされることを特徴とする、項目１に記載の方法。
［項目３］
前記可変バンドについての前記情報は、前記可変バンドの幅または前記可変バンドの少なくとも１つのサブバンドの幅に対応する、項目１または２に記載の方法。
［項目４］
前記可変バンドについての前記情報は、前記可変バンドの位置または前記可変バンドの少なくとも１つのサブバンドの位置に対応する、項目１〜３のいずれか一項に記載の方法。
［項目５］
前記可変バンドについての前記情報は前記可変バンドを構成するサブバンドの数に対応する、項目１〜４のいずれか一項に記載の方法。
［項目６］
前記可変バンドについての前記情報は符号化され、複数の情報成分を形成し、前記複数の情報成分は前記第１、第２、第３、および第４の複数の成分のうちの１つの成分にそれぞれ追加される、項目２、または項目２に従属する項目３〜５のいずれか一項に記載の方法。
［項目７］
前記複数の情報成分の数は前記第１、第２、第３、および第４の複数の成分のうちの前記１つの成分の数以下である、項目６に記載の方法。
［項目８］
前記複数の情報成分の前記数は２のべき乗に等しい、項目６または７に記載の方法。
［項目９］
前記複数の情報成分は前記成分のうちの１つ、２つ、または３つのみがある時点でゼロとは異なる符号化から派生する、項目６〜８のいずれか一項に記載の方法。
［項目１０］
前記複数の情報成分は前記第１、第２、第３、および第４の複数の成分のうちの１つの成分の最大幅に依存する最大幅を有する、項目６〜９のいずれか一項に記載の方法。
［項目１１］
前記複数の情報成分はＰＰＭ技術によって生成される、項目９または１０に記載の方法。
［項目１２］
前記可変バンドについての前記情報は伝送されるユーザメッセージに関する前記第１の複数の成分にスーパーインポーズされる、項目２、または項目２に従属する項目３〜１０のいずれか一項に記載の方法。
［項目１３］
前記可変バンドについての前記情報は伝送されるシグナリングに関する前記第２の複数の成分にスーパーインポーズされる、項目２、または項目２に従属する項目３〜１０のいずれか一項に記載の方法。
［項目１４］
前記可変バンドについての前記情報は伝送されるパイロットキャリアに関する前記第３の複数の成分にスーパーインポーズされる、項目２、または項目２に従属する項目３〜１０のいずれか一項に記載の方法。
［項目１５］
前記可変バンドについての前記情報は前記変調信号の前記第４の複数の成分にスーパーインポーズされる、項目２、または項目２に従属する項目３〜１０のいずれか一項に記載の方法。
［項目１６］
可変バンドのＯＦＤＭ信号を生成するシステムであって、前記ＯＦＤＭ信号の変調信号は伝送されるユーザメッセージに関する第１の複数の成分と、伝送されるシグナリングに関する第２の複数の成分と、伝送されるパイロットキャリアに関する第３の複数の成分とを含み、前記可変バンドについての情報を受信する入力部を有し、前記システムは、
前記第１、第２、および第３の複数の成分を関連付けて、前記変調信号の第４の複数の成分を形成する手段と、
入力部で前記変調信号の前記第４の複数の成分を受信し、前記可変バンドのＯＦＤＭ信号を出力するＯＦＤＭ変調器とを備え、
前記第１、第２、第３、および第４の複数の成分のうちの１つに、前記可変バンドについての前記情報を反復してまたは周期的にスーパーインポーズする手段を含むことを特徴とする、システム。
［項目１７］
項目３〜１５のいずれか一項に記載の方法の機能を実装する手段を含む、項目１６に記載のシステム。
［項目１８］
受信後に変調済信号を処理する方法であって、前記変調済信号の変調デジタル信号は少なくとも１つの成分を含み、前記方法は、
１つの成分または前記変調信号にスーパーインポーズされたデジタル情報を前記変調デジタル信号から抽出する段階と、
抽出された前記デジタル情報を用いて前記変調済信号のバンドを決定し、前記変調済信号の復調および復号化を完了する段階と
を備える、方法。
［項目１９］
受信後にＯＦＤＭ信号を処理し、前記ＯＦＤＭ信号の前記変調信号はユーザメッセージに関する第１の複数の成分と、シグナリングに関する第２の複数の成分と、パイロットキャリアに関する第３の複数の成分とを含み、前記第１、第２、および第３の複数の成分は前記変調信号の第４の複数の成分を形成するように関連付けられ、
前記第１、第２、第３、および第４の複数の成分の少なくとも１つにスーパーインポーズされた情報を前記ＯＦＤＭ信号から抽出する段階Ｂと、
抽出された前記情報を用いて前記ＯＦＤＭ信号のバンドを決定し、前記ＯＦＤＭ信号の復調および復号化を完了する段階Ｃと
を備える、項目１８に記載の方法。
［項目２０］
前記段階Ｂの前に、
前記ＯＦＤＭ信号が前記第１、第２、第３、および第４の複数の成分のうちの少なくとも１つにスーパーインポーズされた情報を含むかどうかを判断する段階Ａを備える、項目１９に記載の方法。
［項目２１］
前記段階Ａはエラー相関演算または復号演算によって実行される、項目２０に記載の方法。
［項目２２］
パイロットキャリアに関する前記ＯＦＤＭ信号の予め定められた数の成分を受信し、パイロット情報を抽出する段階と、
相関演算によって、抽出された前記パイロット情報がスーパーインポーズされた情報を含むかどうかを判断する段階と、
抽出された前記パイロット情報からスーパーインポーズされた前記情報を抽出する段階と、
抽出された前記情報を復号化する段階と、
復号化された前記情報を用いて前記ＯＦＤＭ信号のバンドを決定し、前記ＯＦＤＭ信号の復調および復号化を完了する段階と
を備える、項目１９〜２１のいずれか一項に記載の方法。
［項目２３］
ユーザメッセージに関する前記ＯＦＤＭ信号の予め定められた数の成分を受信し、ユーザメッセージデータを抽出する段階と、
エラー復号演算によって、抽出された前記ユーザメッセージデータがスーパーインポーズされた情報を含むかどうかを判断する段階と、
抽出された前記ユーザメッセージデータからスーパーインポーズされた前記情報を抽出する段階と、
抽出された前記情報を復号化する段階と、
復号化された前記情報を用いて前記ＯＦＤＭ信号の前記バンドを決定し、前記ＯＦＤＭ信号の復調および復号化を完了する段階と
を備える、項目１９〜２１のいずれか一項に記載の方法。
［項目２４］
前記ＯＦＤＭ信号の予め定められた数の、シグナリングおよびシグナリングデータの抽出に関する成分を受信する段階と、
エラー復号演算によって、抽出された前記シグナリングデータがスーパーインポーズされた情報を含むかどうかを判断する段階と、
抽出された前記シグナリングデータからスーパーインポーズされた前記情報を抽出する段階と、
抽出された前記情報を復号化する段階と、
復号化された前記情報を用いて前記ＯＦＤＭ信号の前記バンドを決定し、前記ＯＦＤＭ信号の復調および復号化を完了する段階と
を備える、項目１９〜２１のいずれか一項に記載の方法。
［項目２５］
受信後にＯＦＤＭ信号を処理するシステムであって、前記ＯＦＤＭ信号の変調信号はユーザメッセージに関する第１の複数の成分と、シグナリングに関する第２の複数の成分と、パイロットキャリアに関する第３の複数の成分とを含み、前記第１、第２、および第３の複数の成分は前記変調信号の第４の複数の成分を形成するように関連付けられ、前記システムは、
前記第１、第２、第３、および第４の複数の成分のうちの少なくとも１つにスーパーインポーズされた情報を前記ＯＦＤＭ信号から抽出する手段と、
抽出された前記情報を用いて前記ＯＦＤＭ信号のバンドを決定し、前記ＯＦＤＭ信号の復調および復号化を完了する手段と
を備えるシステム。
［項目２６］
項目２０〜２４のいずれか一項に記載の方法の機能を実装する手段を含む、項目２５に記載のシステム。